(57)【特許請求の範囲】
【請求項１】
所定方向に配列された複数の発熱素子を備え、印刷媒体に印刷を行うことが可能な印刷手段と、
画像を表示することが可能な表示手段と、
前記複数の発熱素子を示す第一画像を前記表示手段に表示させる第一表示制御手段と、
前記複数の発熱素子のうち、チェック対象とする発熱素子を含む範囲であるチェック範囲の指定を受け付ける受付手段と、
前記受付手段によって前記チェック範囲の指定が受け付けられた場合、指定された前記チェック範囲に含まれる前記発熱素子の状態をチェックするチェック手段と、
前記チェック手段による前記発熱素子の状態についてのチェック結果を前記表示手段に表示させる第二表示制御手段と
を備え、
前記第二表示制御手段は、前記チェック手段によってチェックされた前記発熱素子の状態に基づいて、前記第一表示制御手段によって前記表示手段に表示された前記第一画像の表示態様を更新することで、前記チェック結果を前記表示手段に表示させることを特徴とする印刷装置。
【請求項２】
前記第二表示制御手段は、前記第一画像のうち、前記チェック手段によって異常であると判断された前記発熱素子を示す画像を、前記チェック手段によって正常であると判断された前記発熱素子を示す画像とは異なる態様で表示させることを特徴とする請求項１に記載の印刷装置。
【請求項３】
所定方向に配列された複数の発熱素子を備え、印刷媒体に印刷を行うことが可能な印刷手段と、
画像を表示することが可能な表示手段と、
前記複数の発熱素子を示す第一画像を前記表示手段に表示させる第一表示制御手段と、
前記複数の発熱素子のうち、チェック対象とする発熱素子を含む範囲であるチェック範囲の指定を受け付ける受付手段と、
前記受付手段によって前記チェック範囲の指定が受け付けられた場合、指定された前記チェック範囲に含まれる前記発熱素子の状態をチェックするチェック手段と、
前記チェック手段による前記発熱素子の状態についてのチェック結果を前記表示手段に表示させる第二表示制御手段と、
前記印刷手段によって印刷可能な情報である印刷情報の少なくとも一部を示す第二画像を、前記表示手段に表示させる第三表示制御手段と、
を備え、
前記第一画像は、前記表示手段において、前記複数の発熱素子が第一方向に配列された状態で表示され、
前記第二画像は、前記表示手段において、前記第一画像に対して前記第一方向と直交する第二方向にある領域に表示され、
前記第三表示制御手段は、前記第二画像を前記第一画像と略同じ縮尺で前記表示手段に表示させ、且つ、前記印刷情報の少なくとも一部を構成する複数のドットの各々を示す画像と、前記複数のドットの各々を印刷する前記発熱素子を示す画像とが前記第二方向に並ぶように、前記第二画像を前記表示手段に表示させることを特徴とする印刷装置。
【請求項４】
前記第二表示制御手段は、前記チェック手段によってチェックされた前記発熱素子の状態に基づいて、前記第一表示制御手段によって前記表示手段に表示された前記第一画像の表示態様を更新することで、前記チェック結果を前記表示手段に表示させることを特徴とする請求項３に記載の印刷装置。
【請求項５】
前記第二表示制御手段は、前記第一画像のうち、前記チェック手段によって異常であると判断された前記発熱素子を示す画像を、前記チェック手段によって正常であると判断された前記発熱素子を示す画像とは異なる態様で表示させることを特徴とする請求項４に記載の印刷装置。
【請求項６】
所定方向に配列された複数の発熱素子を備え、印刷媒体に印刷を行うことが可能な印刷手段と、
画像を表示することが可能な表示手段と、
前記複数の発熱素子を示す第一画像を前記表示手段に表示させる第一表示制御手段と、
前記複数の発熱素子のうち、チェック対象とする発熱素子を含む範囲であるチェック範囲の指定を受け付ける受付手段と、
前記受付手段によって前記チェック範囲の指定が受け付けられた場合、指定された前記チェック範囲に含まれる前記発熱素子の状態をチェックするチェック手段と、
前記チェック手段による前記発熱素子の状態についてのチェック結果を前記表示手段に表示させる第二表示制御手段と
を備え、
前記第一画像は、前記表示手段において、前記複数の発熱素子が第一方向に配列された状態で表示され、
前記表示手段は、前記複数の発熱素子の前記所定方向の長さ以上の表示領域を有し、
前記第一表示制御手段は、前記第一画像が示す前記複数の発熱素子の前記第一方向の長さが、前記複数の発熱素子の前記所定方向の長さの実寸と略一致する態様で、前記第一画像を前記表示手段に表示させることを特徴とする印刷装置。
【請求項７】
前記第二表示制御手段は、前記チェック手段によってチェックされた前記発熱素子の状態に基づいて、前記第一表示制御手段によって前記表示手段に表示された前記第一画像の表示態様を更新することで、前記チェック結果を前記表示手段に表示させることを特徴とする請求項６に記載の印刷装置。
【請求項８】
前記第二表示制御手段は、前記第一画像のうち、前記チェック手段によって異常であると判断された前記発熱素子を示す画像を、前記チェック手段によって正常であると判断された前記発熱素子を示す画像とは異なる態様で表示させることを特徴とする請求項７に記載の印刷装置。
【請求項９】
前記印刷手段によって印刷可能な情報である印刷情報の少なくとも一部を示す第二画像を、前記表示手段に表示させる第三表示制御手段を更に備え、
前記第一画像は、前記表示手段において、前記複数の発熱素子が第一方向に配列された状態で表示され、
前記第二画像は、前記表示手段において、前記第一画像に対して前記第一方向と直交する第二方向にある領域に表示され、
前記第三表示制御手段は、前記第二画像を前記第一画像と略同じ縮尺で前記表示手段に表示させ、且つ、前記印刷情報の少なくとも一部を構成する複数のドットの各々を示す画像と、前記複数のドットの各々を印刷する前記発熱素子を示す画像とが前記第二方向に並ぶように、前記第二画像を前記表示手段に表示させることを特徴とする請求項６から８の何れかに記載の印刷装置。
【請求項１０】
前記印刷媒体を前記所定方向とは異なる方向に搬送する搬送手段と、
前記印刷手段によって印刷が行われ、且つ、前記搬送手段によって搬送された前記印刷媒体を排出する排出部と
を更に備え、
前記排出部は、前記表示手段に近接し、且つ、前記第一方向に延び、
前記第一表示制御手段は、前記印刷媒体が前記排出部から排出された場合、前記印刷媒体に印刷された前記印刷情報を構成する複数のドットの各々と、前記複数のドットの各々を印刷した前記発熱素子を示す画像とが、前記第一方向と直交する第二方向に並ぶように、前記第一画像を前記表示手段に表示させることを特徴とする請求項９に記載の印刷装置。
【請求項１１】
所定方向に配列された複数の発熱素子を備え、印刷媒体に印刷を行うことが可能な印刷手段と、
画像を表示することが可能な表示手段と、
前記複数の発熱素子を示す第一画像を前記表示手段に表示させる第一表示制御手段と、
前記複数の発熱素子のうち、チェック対象とする発熱素子を含む範囲であるチェック範囲の指定を受け付ける受付手段と、
前記受付手段によって前記チェック範囲の指定が受け付けられた場合、指定された前記チェック範囲に含まれる前記発熱素子の状態をチェックするチェック手段と、
前記チェック手段による前記発熱素子の状態についてのチェック結果を前記表示手段に表示させる第二表示制御手段と
を備え、
前記第一表示制御手段は、前記表示手段に表示させる前記第一画像のうち、前記チェック範囲内の前記発熱素子を示す画像と、前記チェック範囲外の前記発熱素子を示す画像とを異なる態様で表示させることを特徴とする印刷装置。
【請求項１２】
前記第二表示制御手段は、前記チェック手段によってチェックされた前記発熱素子の状態に基づいて、前記第一表示制御手段によって前記表示手段に表示された前記第一画像の表示態様を更新することで、前記チェック結果を前記表示手段に表示させることを特徴とする請求項１１に記載の印刷装置。
【請求項１３】
前記第二表示制御手段は、前記第一画像のうち、前記チェック手段によって異常であると判断された前記発熱素子を示す画像を、前記チェック手段によって正常であると判断された前記発熱素子を示す画像とは異なる態様で表示させることを特徴とする請求項１２に記載の印刷装置。
【請求項１４】
前記印刷手段によって印刷可能な情報である印刷情報の少なくとも一部を示す第二画像を、前記表示手段に表示させる第三表示制御手段を更に備え、
前記第一画像は、前記表示手段において、前記複数の発熱素子が第一方向に配列された状態で表示され、
前記第二画像は、前記表示手段において、前記第一画像に対して前記第一方向と直交する第二方向にある領域に表示され、
前記第三表示制御手段は、前記第二画像を前記第一画像と略同じ縮尺で前記表示手段に表示させ、且つ、前記印刷情報の少なくとも一部を構成する複数のドットの各々を示す画像と、前記複数のドットの各々を印刷する前記発熱素子を示す画像とが前記第二方向に並ぶように、前記第二画像を前記表示手段に表示させることを特徴とする請求項１１から１３の何れかに記載の印刷装置。
【請求項１５】
前記第一画像は、前記表示手段において、前記複数の発熱素子が第一方向に配列された状態で表示され、
前記表示手段は、前記複数の発熱素子の前記所定方向の長さ以上の表示領域を有し、
前記第一表示制御手段は、前記第一画像が示す前記複数の発熱素子の前記第一方向の長さが、前記複数の発熱素子の前記所定方向の長さの実寸と略一致する態様で、前記第一画像を前記表示手段に表示させることを特徴とする請求項１１から１３の何れかに記載の印刷装置。
【請求項１６】
前記第一画像は、前記表示手段において、前記複数の発熱素子が第一方向に配列された状態で表示され、
前記表示手段は、前記複数の発熱素子の前記所定方向の長さ以上の表示領域を有し、
前記第一表示制御手段は、前記第一画像が示す前記複数の発熱素子の前記第一方向の長さが、前記複数の発熱素子の前記所定方向の長さの実寸と略一致する態様で、前記第一画像を前記表示手段に表示させることを特徴とする請求項１４に記載の印刷装置。
【請求項１７】
前記印刷媒体を前記所定方向とは異なる方向に搬送する搬送手段と、
前記印刷手段によって印刷が行われ、且つ、前記搬送手段によって搬送された前記印刷媒体を排出する排出部と
を更に備え、
前記排出部は、前記表示手段に近接し、且つ、前記第一方向に延び、
前記第一表示制御手段は、前記印刷媒体が前記排出部から排出された場合、前記印刷媒体に印刷された前記印刷情報を構成する複数のドットの各々と、前記複数のドットの各々を印刷した前記発熱素子を示す画像とが、前記第一方向と直交する第二方向に並ぶように、前記第一画像を前記表示手段に表示させることを特徴とする請求項１６に記載の印刷装置。
【請求項１８】
所定方向に配列された複数の発熱素子を備え、印刷媒体に印刷を行うことが可能な印刷手段と、
画像を表示することが可能な表示手段と、
前記複数の発熱素子を示す第一画像を前記表示手段に表示させる第一表示制御手段と、
前記複数の発熱素子のうち、チェック対象とする発熱素子を含む範囲であるチェック範囲の指定を受け付ける受付手段と、
前記受付手段によって前記チェック範囲の指定が受け付けられた場合、指定された前記チェック範囲に含まれる前記発熱素子の状態をチェックするチェック手段と、
前記チェック手段による前記発熱素子の状態についてのチェック結果と、前記第一画像のうち前記受付手段により受け付けた前記チェック範囲を示す画像とを前記表示手段に表示させる第二表示制御手段と
を備えたことを特徴とする印刷装置。
【発明の詳細な説明】
【技術分野】
【０００１】
本発明は、発熱素子を用いて印刷媒体に印刷を行う印刷装置に関する。
【背景技術】
【０００２】
複数の発熱素子を有するサーマルヘッドを備えた印刷装置が知られている。印刷装置は、発熱素子に通電して発熱素子を発熱させることにより、印刷媒体に印刷を行う。例えば、特許文献１に開示の印刷装置は、サーマルヘッドの複数の発熱素子のうち一部の発熱素子を含む範囲を、チェック範囲として設定できる。印刷装置は、チェック範囲に含まれる発熱素子の良否を判定する。
【先行技術文献】
【特許文献】
【０００３】
【特許文献１】特開２００６−４４０２７号公報
【発明の概要】
【発明が解決しようとする課題】
【０００４】
上記印刷装置は、サーマルヘッドの使用頻度の高い範囲を、チェック範囲として設定できる。しかしながら、上記印刷装置では、ユーザがチェック領域を自由に設定できない。従って、印刷装置は、ユーザが所望する範囲に含まれる発熱素子の状態をチェックしない場合がある。
【０００５】
本発明の目的は、ユーザが所望する範囲に含まれる発熱素子の状態をチェックすることができる印刷装置を提供することである。
【課題を解決するための手段】
【０００６】
本発明の一態様に係る印刷装置は、所定方向に配列された複数の発熱素子を備え、印刷媒体に印刷を行うことが可能な印刷手段と、画像を表示することが可能な表示手段と、前記複数の発熱素子を示す第一画像を前記表示手段に表示させる第一表示制御手段と、前記複数の発熱素子のうち、チェック対象とする発熱素子を含む範囲であるチェック範囲の指定を受け付ける受付手段と、前記受付手段によって前記チェック範囲の指定が受け付けられた場合、指定された前記チェック範囲に含まれる前記発熱素子の状態をチェックするチェック手段と、前記チェック手段による前記発熱素子の状態についてのチェック結果を前記表示手段に表示させる第二表示制御手段とを備え、前記第二表示制御手段は、前記チェック手段によってチェックされた前記発熱素子の状態に基づいて、前記第一表示制御手段によって前記表示手段に表示された前記第一画像の表示態様を更新することで、前記チェック結果を前記表示手段に表示させることを特徴とする。
本発明の第二態様に係る印刷装置は、所定方向に配列された複数の発熱素子を備え、印刷媒体に印刷を行うことが可能な印刷手段と、画像を表示することが可能な表示手段と、前記複数の発熱素子を示す第一画像を前記表示手段に表示させる第一表示制御手段と、前記複数の発熱素子のうち、チェック対象とする発熱素子を含む範囲であるチェック範囲の指定を受け付ける受付手段と、前記受付手段によって前記チェック範囲の指定が受け付けられた場合、指定された前記チェック範囲に含まれる前記発熱素子の状態をチェックするチェック手段と、前記チェック手段による前記発熱素子の状態についてのチェック結果を前記表示手段に表示させる第二表示制御手段と、前記印刷手段によって印刷可能な情報である印刷情報の少なくとも一部を示す第二画像を、前記表示手段に表示させる第三表示制御手段とを備え、前記第一画像は、前記表示手段において、前記複数の発熱素子が第一方向に配列された状態で表示され、前記第二画像は、前記表示手段において、前記第一画像に対して前記第一方向と直交する第二方向にある領域に表示され、前記第三表示制御手段は、前記第二画像を前記第一画像と略同じ縮尺で前記表示手段に表示させ、且つ、前記印刷情報の少なくとも一部を構成する複数のドットの各々を示す画像と、前記複数のドットの各々を印刷する前記発熱素子を示す画像とが前記第二方向に並ぶように、前記第二画像を前記表示手段に表示させることを特徴とする。
本発明の第三態様に係る印刷装置は、所定方向に配列された複数の発熱素子を備え、印刷媒体に印刷を行うことが可能な印刷手段と、画像を表示することが可能な表示手段と、前記複数の発熱素子を示す第一画像を前記表示手段に表示させる第一表示制御手段と、前記複数の発熱素子のうち、チェック対象とする発熱素子を含む範囲であるチェック範囲の指定を受け付ける受付手段と、前記受付手段によって前記チェック範囲の指定が受け付けられた場合、指定された前記チェック範囲に含まれる前記発熱素子の状態をチェックするチェック手段と、前記チェック手段による前記発熱素子の状態についてのチェック結果を前記表示手段に表示させる第二表示制御手段とを備え、前記第一画像は、前記表示手段において、前記複数の発熱素子が第一方向に配列された状態で表示され、前記表示手段は、前記複数の発熱素子の前記所定方向の長さ以上の表示領域を有し、前記第一表示制御手段は、前記第一画像が示す前記複数の発熱素子の前記第一方向の長さが、前記複数の発熱素子の前記所定方向の長さの実寸と略一致する態様で、前記第一画像を前記表示手段に表示させることを特徴とする。
本発明の第四態様に係る印刷装置は、所定方向に配列された複数の発熱素子を備え、印刷媒体に印刷を行うことが可能な印刷手段と、画像を表示することが可能な表示手段と、前記複数の発熱素子を示す第一画像を前記表示手段に表示させる第一表示制御手段と、前記複数の発熱素子のうち、チェック対象とする発熱素子を含む範囲であるチェック範囲の指定を受け付ける受付手段と、前記受付手段によって前記チェック範囲の指定が受け付けられた場合、指定された前記チェック範囲に含まれる前記発熱素子の状態をチェックするチェック手段と、前記チェック手段による前記発熱素子の状態についてのチェック結果を前記表示手段に表示させる第二表示制御手段とを備え、前記第一表示制御手段は、前記表示手段に表示させる前記第一画像のうち、前記チェック範囲内の前記発熱素子を示す画像と、前記チェック範囲外の前記発熱素子を示す画像とを異なる態様で表示させることを特徴とする。
本発明の第五態様に係る印刷装置は、所定方向に配列された複数の発熱素子を備え、印刷媒体に印刷を行うことが可能な印刷手段と、画像を表示することが可能な表示手段と、前記複数の発熱素子を示す第一画像を前記表示手段に表示させる第一表示制御手段と、前記複数の発熱素子のうち、チェック対象とする発熱素子を含む範囲であるチェック範囲の指定を受け付ける受付手段と、前記受付手段によって前記チェック範囲の指定が受け付けられた場合、指定された前記チェック範囲に含まれる前記発熱素子の状態をチェックするチェック手段と、前記チェック手段による前記発熱素子の状態についてのチェック結果と、前記第一画像のうち前記受付手段により受け付けた前記チェック範囲を示す画像とを前記表示手段に表示させる第二表示制御手段とを備えたことを特徴とする。
【０００７】
本態様によれば、印刷装置は、チェック範囲の指定を受け付けることができる。つまり、ユーザは、チェック範囲の指定を印刷装置に入力することができる。印刷装置は、ユーザが所望する範囲に含まれる発熱素子の状態をチェックすることができる。また、ユーザは、表示手段に表示されたチェック結果を見ることにより、チェックされた発熱素子の状態を把握することができる。
【図面の簡単な説明】
【０００８】
【図１】印刷システム５の概要を示す図である。
【図２】印刷装置１の斜視図である。
【図３】トップカバー１０１を外した状態の印刷装置１の斜視図である。
【図４】図２のＩ−Ｉ線矢視方向断面図である。
【図５】印刷装置１の電気的構成を示すブロック図である。
【図６】ディスプレイ１０８に表示される画像を示す図である。
【図７】ディスプレイ１０８に表示される画像を示す図である。
【図８】ディスプレイ１０８に表示される画像を示す図である。
【図９】ディスプレイ１０８に表示される画像を示す図である。
【図１０】メイン処理のフローチャートである。
【図１１】ヘッドチェック処理のフローチャートである。
【図１２】範囲指定処理のフローチャートである。
【図１３】範囲指定処理のフローチャートであって、図１２の続きである。
【図１４】範囲指定処理のフローチャートであって、図１３の続きである。
【図１５】ヘッド表示処理のフローチャートである。
【図１６】エラーチェック処理のフローチャートである。
【図１７】結果表示処理のフローチャートである。
【図１８】ＮＧ表示処理のフローチャートである。
【発明を実施するための形態】
【０００９】
本発明の実施形態について、図面を参照して説明する。図１を参照し、印刷システム５の概要を説明する。印刷システム５は、印刷装置１及び外部端末２を備える。印刷装置１及び外部端末２は、ＵＳＢ（登録商標）ケーブル３によって接続される。印刷装置１は、印刷媒体である感熱テープ８（図３参照）に印刷情報を印刷する。印刷情報は、キャラクタ（文字、数字、記号等）、図形、バーコード、二次元コード等を含む。
【００１０】
本実施形態では、印刷装置１は、外部端末２から受信した印刷データに基づいて、感熱テープ８に印刷情報を印刷する。外部端末２は、例えば、汎用のパーソナルコンピュータ（ＰＣ）である。外部端末２は、印刷装置１が印刷情報を印刷するための印刷データを作成する。ユーザは、外部端末２のキーボードやマウス等の入力機器を介して、印刷データを編集できる。
【００１１】
図２から図４を参照し、印刷装置１の構成を説明する。以下の説明では、図２の右下側、左上側、右上側、左下側、上側、及び下側を、夫々、印刷装置１の右側、左側、後側、前側、上側、及び下側と定義して説明する。
【００１２】
図２に示すように、印刷装置１は筐体１００を備える。筐体１００は略箱形である。筐体１００は、トップカバー１０１及びアンダーカバー１０２を備える。トップカバー１０１は、筐体１００の上面に設けられている。アンダーカバー１０２は、筐体１００の下面に設けられている。トップカバー１０１は、固定部１０１Ａ及び開閉蓋１０１Ｂを備える。固定部１０１Ａはトップカバー１０１の前側部分である。開閉蓋１０１Ｂはトップカバー１０１の後側部分である。
【００１３】
固定部１０１Ａの上面の左前方には、ＢＡＣＫキー３１、左キー３２、右キー３３、及びＯＫキー３４が設けられている。ＢＡＣＫキー３１、左キー３２、右キー３３、及びＯＫキー３４は、この順で左から右に並んで配置されている。以下の説明では、ＢＡＣＫキー３１、左キー３２、右キー３３、及びＯＫキー３４を総称する場合、操作部３０という。固定部１０１Ａの上面の操作部３０の後側には、ディスプレイ１０８が設けられている。
【００１４】
図３に示すように、開閉蓋１０１Ｂ（図２参照）の下側に、ロール収納部１６１が設けられている。ロール収納部１６１には、ロール９が収容される。ロール９は、巻き回された感熱テープ８である。ロール９の両端部に、支持部材１６２が取り付けられる。ロール９は、支持部材１６２によって回転可能に支持される。これにより、印刷装置１は、ロール収納部１６１から連続的に感熱テープ８を供給できる。開閉蓋１０１Ｂの後端は、ヒンジ部１６４によって回転可能に支持される。開閉蓋１０１Ｂの前端が開閉蓋１０１Ｂの後端を軸として上下に揺動することにより、開閉蓋１０１Ｂは開閉する。開閉蓋１０１Ｂが開いた状態で、ロール収納部１６１は露出する。この状態で、ユーザは、ロール９の装着及び交換を容易に行うことができる。
【００１５】
図２及び図４に示すように、トップカバー１０１の前後方向略中央部であって固定部１０１Ａと開閉蓋１０１Ｂとの間に、排出口１０７が設けられている。本実施形態では、排出口１０７はディスプレイ１０８に近接している。より詳細には、排出口１０７は、ディスプレイ１０８の後側に、ディスプレイ１０８に近接して設けられている。
【００１６】
感熱テープ８のうち印刷が行われた部分は、排出口１０７を通って、筐体１００の内部から外部に排出される。開閉蓋１０１Ｂの前方側端部に、プラテンローラ１１１が回転可能に支持される。筐体１００の内部には、駆動モータ１０９（図５参照）が設けられている。駆動モータ１０９は、ギア機構（図示外）を介して、プラテンローラ１１１に接続する。ＣＰＵ１１（図５参照）は、駆動回路１８（図５参照）を介して駆動モータ１０９の駆動を制御する。駆動モータ１０９の回転駆動力がプラテンローラ１１１に伝達すると、プラテンローラ１１１は回転する。
【００１７】
固定部１０１Ａの後端部下方に、サーマルラインヘッド１１２、固定板１１３、及びばね１１４が設けられている。開閉蓋１０１Ｂが閉じた状態で、プラテンローラ１１１は、固定板１１３の後方に配置される。固定板１１３は左右方向に延びる。固定板１１３の前面及び後面は平面である。サーマルラインヘッド１１２は、固定板１１３の後面に設けられている。サーマルラインヘッド１１２は、所定方向に配列された複数の発熱素子を備える。以下、サーマルラインヘッド１１２における複数の発熱素子が配列される方向を、主走査方向という。本実施形態では、サーマルラインヘッド１１２は左右方向に延びる。複数の発熱素子は左右方向に配列されている。複数の発熱素子は、通電されることにより発熱する。ばね１１４は、固定板１１３の前面に設けられる。ばね１１４は、固定板１１３を後方に付勢する。
【００１８】
サーマルラインヘッド１１２の上方には、切断刃１６０が設けられている。切断刃１６０は、排出口１０７に沿って延びる。ユーザは、排出口１０７から排出された感熱テープ８を前方に引っ張り、切断刃１６０に押し付けることによって、感熱テープ８を手動で切断できる。
【００１９】
ラベルが作成される工程を説明する。プラテンローラ１１１とサーマルラインヘッド１１２との間に、感熱テープ８が下方から上方に向けて挿通される。感熱テープ８は、ロール収納部１６１に収容されたロール９から延びる。ばね１１４が固定板１１３を後方に付勢すると、サーマルラインヘッド１１２は所定の力でプラテンローラ１１１に感熱テープ８を押し付ける。この状態で、複数の発熱素子のうち少なくとも一部の発熱素子が発熱すると、発熱した発熱素子に対応するドットが感熱テープ８に形成される。これにより、一ライン分のドットが感熱テープ８に印刷される。同時に、駆動モータ１０９の回転に伴いプラテンローラ１１１が回転する。これにより、感熱テープ８はロール９から繰り出され、下方から上方に向けて搬送される。これによって、感熱テープ８に一ライン分ずつドットが繰り返し形成され、最終的に印刷情報が印刷される。
【００２０】
排出口１０７は、印刷時の感熱テープ８の搬送方向において、プラテンローラ１１１及びサーマルラインヘッド１１２の下流側にある。印刷後の感熱テープ８は、排出口１０７から筐体１００の外部へ排出される。ユーザが、排出された感熱テープ８を前方に引っ張り、切断刃１６０に押し付けると、感熱テープ８は切断刃１６０によって切断される。これにより、ラベルが作成される。なお、感熱テープ８の搬送方向は、主走査方向とは異なる方向である。
【００２１】
図５を参照し、印刷装置１の電気的構成を説明する。印刷装置１は、ＣＰＵ１１、ＳＲＡＭ１２、フラッシュメモリ１３、ＥＥＰＲＯＭ（登録商標）１４、入出力インターフェース１５などを備え、これらはデータバスを介して接続されている。ＣＰＵ１１は、印刷装置１全体の制御を司る。ＳＲＡＭ１２は、外部端末２から受信した印刷データ等を一時的に記憶する。フラッシュメモリ１３は、書き換え可能な不揮発性記憶素子である。フラッシュメモリ１３は、ＣＰＵ１１が印刷装置１を制御するために実行する各種プログラム等を記憶する。入出力インターフェース１５は、データや制御信号を伝達する。ＥＥＰＲＯＭ１４は、各種パラメータ等を記憶する不揮発性記憶素子である。
【００２２】
入出力インターフェース１５には、操作部３０、液晶駆動回路（ＬＣＤＣ）１９、駆動回路１６、１８、ＵＳＢコントローラ２０などが接続されている。ＬＣＤＣ１９は、ディスプレイ１０８に表示データを出力するためのビデオＲＡＭ（図示外）を有する。駆動回路１６は、サーマルラインヘッド１１２を駆動するための電子回路である。駆動回路１８は、プラテンローラ１１１を動作させる駆動モータ１０９を駆動するための電子回路である。ＵＳＢコントローラ２０は、ＵＳＢケーブル３を介して外部端末２と通信を行うためのデバイスである。
【００２３】
図６から図９を参照し、チェック範囲の指定を説明する。チェック範囲は、複数の発熱素子のうち、チェック対象とする発熱素子を含む範囲である。ユーザは、チェック範囲を指定することにより、チェック範囲に含まれる発熱素子の状態のチェックを、印刷装置１に指示できる。本実施形態では、ユーザは操作部３０を用いて、１つ以上のチェック範囲を指定できる。
【００２４】
ユーザが印刷装置１にヘッドチェック処理を指示すると、図６に示すように、ディスプレイ１０８にヘッド画像２００が表示される。ヘッドチェック処理は、操作部３０を介して指定されたチェック範囲内の発熱素子の状態をチェックして、チェック結果をディスプレイ１０８に表示する処理である。本実施形態では、印刷装置１は、ヘッドチェック処理において、発熱素子の断線の有無をチェックする。ヘッド画像２００は、複数の発熱素子を示す画像である。本実施形態では、ディスプレイ１０８において、ヘッド画像２００が示す複数の発熱素子が第一方向に配列される。第一方向は、例えば左右方向である。以下、ディスプレイ１０８において、第一方向と直交する方向を、第二方向という。第二方向は、例えば前後方向である。なお、本実施形態では、排出口１０７は第一方向に延びる。
【００２５】
例えば、印刷後の感熱テープ８において、印刷情報の一部が印刷されていなかったとする。この場合、ユーザは、印刷装置１にヘッドチェック処理を指示する。また、ユーザは、重要な情報（例えば、バーコード）が印刷される部分に対応する発熱素子の状態を、予めチェックしたい場合がある。この場合、ユーザは、重要な情報が印刷される部分に対応する発熱素子を含む範囲を、チェック範囲と指定してもよい。
【００２６】
ヘッドチェック処理が指示された直後、ヘッド画像２００は全て、チェック素子を示す第一画像２０１である。チェック素子は、チェック範囲内の発熱素子である。本実施形態では、例えば、第一画像２０１は黄色で表示される。更に、本実施形態では、メッセージ２２１がディスプレイ１０８に表示される。メッセージ２２１は、チェック範囲の始点の指定をユーザに促すメッセージである。例えば、メッセージ２２１として「始点を指定して［ＯＫ］を押す」というメッセージが表示される。
【００２７】
印刷装置１の電源がＯＮされた後ヘッドチェック処理が指示される前に、印刷装置１により印刷が行われる場合がある。この場合、本実施形態では、更に印刷画像２１０がディスプレイ１０８に表示される。印刷画像２１０は印刷情報の少なくとも一部を示す。例えば、印刷画像２１０は、キャラクタ「Ｎｕｍｂｅｒ  ０１２３４５６」とバーコードの少なくとも一部とを示す。本実施形態では、印刷画像２１０は薄いグレーで表示される。しかしながら、印刷画像２１０は、ユーザが視認できる態様で表示されればよい。例えば、印刷画像２１０はモノクロ表示されてもよい。印刷画像２１０はカラー表示されてもよい。
【００２８】
本実施形態では、印刷画像２１０は、ディスプレイ１０８において、ヘッド画像２００に対して第二方向（前後方向）にある領域に表示される。印刷画像２１０は、ヘッド画像２００と略同じ縮尺で表示される。印刷画像２１０は、印刷画像２１０が示す印刷情報の少なくとも一部を構成する複数のドットの各々を示す画像と、複数のドットの各々を印刷する発熱素子を示す画像とが第二方向に並ぶように、表示される。
【００２９】
ユーザは、右キー３３及び左キー３２を用いて、チェック範囲の始点を指定する。ユーザが右キー３３又は左キー３２を押す度に、ヘッド画像２００の表示態様が更新される。より詳細には、ヘッド画像２００のうち、チェック素子を示す第一画像２０１と非チェック素子を示す第二画像２０２とが異なる態様で表示される。非チェック素子は、チェック範囲外の発熱素子である。例えば、ユーザが右キー３３を連続して押すと、図７に示すように、ヘッド画像２００のうち左側の一部は、第二画像２０２となる。例えば、第二画像２０２は青色で表示される。
【００３０】
ユーザがＯＫキー３４を押すと、チェック範囲の始点が確定される。本実施形態では、メッセージ２２１の代わりに、メッセージ２２２がディスプレイ１０８に表示される。メッセージ２２２は、チェック範囲の終点の指定をユーザに促すメッセージである。例えば、メッセージ２２２として「終点を指定して［ＯＫ］を押す」というメッセージが表示される。
【００３１】
ユーザは、右キー３３及び左キー３２を用いて、チェック範囲の終点を指定する。ユーザが右キー３３又は左キー３２を押す度に、ヘッド画像２００の表示態様が更新される。例えば、ユーザが右キー３３を連続して押すと、図８に示すように、ヘッド画像２００のうち右側の一部が、チェック素子とは異なる態様で表示される。ヘッド画像２００のうち右側の一部は、第二画像２０２となる。
【００３２】
ユーザがＯＫキー３４を押すと、チェック範囲の終点が確定される。本実施形態では、メッセージ２２２の代わりに、メッセージ２２３がディスプレイ１０８に表示される。メッセージ２２３は、チェック開始の指示をユーザに促すメッセージである。例えば、メッセージ２２３として「ＯＫでチェック開始」というメッセージが表示される。
【００３３】
ユーザは、右キー３３又は左キー３２を押して、上述と同様の動作を行うことにより、次のチェック範囲を指定することができる。一方、ユーザがＯＫキー３４を押すと、印刷装置１は、チェック範囲内の発熱素子の状態のチェックを開始する。チェック後、印刷装置１は、ディスプレイ１０８にチェック結果を表示する。本実施形態では、印刷装置１は、チェックされた発熱素子の状態に基づいて、ヘッド画像２００の表示態様を更新する。より詳細には、印刷装置１は、ヘッド画像２００のうち、異常であると判断された発熱素子を示す第三画像２０３を、正常であると判断された発熱素子を示す画像とは異なる態様で表示する。
【００３４】
例えば、複数の発熱素子のうち一部の発熱素子が異常であると判断されたとする。この場合、図９に示すように、第三画像２０３が、正常であると判断された発熱素子を示す画像（第一画像２０１）とは異なる態様で表示される。本実施形態では、例えば、第三画像２０３は赤色で表示される。
【００３５】
更に、メッセージ２２４が、ディスプレイ１０８に表示される。メッセージ２２４は、異常であると判断された発熱素子が存在することをユーザに報知するメッセージである。例えば、発熱素子の抵抗値が所定の範囲外である場合、発熱素子が異常であると判断される。本実施形態では、発熱素子に断線が生じている場合、発熱素子が異常であると判断される。この場合、発熱素子の抵抗値は、所定の値以上、詳細には無限大となる。この場合、例えば、メッセージ２２４として「断線が検出されました」というメッセージが表示される。ユーザは、ヘッド画像２００のうち第三画像２０３を見ることにより、断線が生じている発熱素子が存在することを確認できる。また、ユーザは、メッセージ２２４を見ることにより、断線が生じている発熱素子が存在することを確認できる。
【００３６】
図１０から図１８を参照し、印刷装置１のメイン処理を説明する。印刷装置１の電源がＯＮされると、ＣＰＵ１１がフラッシュメモリ１３に記憶されたプログラムを実行することで、メイン処理を開始する。図１０に示すように、まず、ＣＰＵ１１は初期化を行う（Ｓ１１）。Ｓ１１では、ＳＲＡＭ１２に記憶されたデータが削除される。次に、ＣＰＵ１１は、ディスプレイ１０８に待機画面（図示外）を表示する（Ｓ１３）。待機画面は、ヘッドチェック処理、印刷処理、及びメイン処理の終了の各々を指示するための画像を含む。ユーザは、右キー３３又は左キー３２を用いて、何れかの画像を選択し、ＯＫキー３４を押す。これにより、ユーザは印刷装置１に、ヘッドチェック処理、印刷処理、及びメイン処理の終了の何れかを指示できる。
【００３７】
ＣＰＵ１１は、ＯＫキー３４が押されると、印刷処理を示す画像が選択されたか否かを判断する（Ｓ１５）。印刷処理を示す画像が選択された場合（Ｓ１５：ＹＥＳ）、ＣＰＵ１１は印刷処理を実行する（Ｓ１７）。印刷処理では、ＣＰＵ１１は、外部端末２から受信した印刷データに基づき駆動回路１６、１８を制御して、感熱テープ８に印刷情報を印刷する。ＣＰＵ１１は、印刷処理を示す画像が選択されていない場合（Ｓ１５：ＮＯ）、ヘッドチェック処理を示す画像が選択されたか否かを判断する（Ｓ１９）。ヘッドチェック処理を示す画像が選択された場合（Ｓ１９：ＹＥＳ）、ＣＰＵ１１はヘッドチェック処理（図１１参照）を実行する（Ｓ２１）。
【００３８】
図１１を参照し、ヘッドチェック処理を説明する。まず、ＣＰＵ１１は、印刷装置１の電源がＯＮされた後、Ｓ１７で印刷処理が行われたか否かを判断する（Ｓ３１）。印刷装置１の電源がＯＮされた後、印刷処理が行われた場合（Ｓ３１：ＹＥＳ）、ＣＰＵ１１は、ディスプレイ１０８に印刷画像２１０を表示する（Ｓ３３）。印刷装置１の電源がＯＮされた後、印刷処理が行われていない場合（Ｓ３１：ＮＯ）、又はＳ３３の実行後、ＣＰＵ１１は範囲指定処理を実行する（Ｓ３５）。
【００３９】
図１２から図１４を参照し、範囲指定処理を説明する。まず、ＣＰＵ１１は範囲指定数ｉを０にする（Ｓ５１）。範囲指定数ｉは、指定されたチェック範囲の数を示す。その後、ＣＰＵ１１は、範囲指定数ｉが０より大きいか否かを判断する（Ｓ５３）。一巡目の処理では、範囲指定数ｉは０であるため（Ｓ５３：ＮＯ）、ＣＰＵ１１は変数ｍを０にする（Ｓ５７）。範囲指定数ｉが０より大きい場合（Ｓ５３：ＹＥＳ）、ＣＰＵ２１は、終点［ｉ−１］に１加算した値を、変数ｍに設定する（Ｓ５５）。変数ｍは、チェック範囲の始点を指定可能な位置を判断するための変数である。終点［ｉ−１］は、前回の処理で指定された、チェック範囲の終点を示す。
【００４０】
ＣＰＵ１１は、Ｓ５５又はＳ５７で変数ｍを設定した後、始点［ｉ］に変数ｍを設定し、終点［ｉ］に素子数ｈを設定する（Ｓ５９）。素子数ｈは、サーマルラインヘッド１１２が備える発熱素子の個数を示す。例えば、サーマルラインヘッド１１２は５７６個の発熱素子を備える。この場合、素子数ｈは５７６である。始点［ｉ］は、現時点でのチェック範囲の始点を示す。終点［ｉ］は、現時点でのチェック範囲の終点を示す。一巡目の処理では、始点［ｉ］は０、終点は素子数ｈ（５７６）である。従って、始点［ｉ］は、主走査方向において先頭（左端）の発熱素子を示す。終点［ｉ］は、主走査方向において末尾（右端）の発熱素子を示す。
【００４１】
Ｓ５９の実行後、ＣＰＵ１１は、ディスプレイ１０８にメッセージ２２１（図６参照）を表示する（Ｓ６１）。上述の通り、メッセージ２２１は、チェック範囲の始点の指定をユーザに促すメッセージである。その後、ＣＰＵ１１は、ヘッド表示処理を実行する（Ｓ６３）。
【００４２】
図１５を参照し、ヘッド表示処理を説明する。まず、ＣＰＵ１１は、第一矩形の頂点の座標を示すために用いる値ｘ０、ｘ１、ｙ０、ｙ１を設定する（Ｓ２０１）。本実施形態では、設定値ｘ０は、（幅画素数ｗ―（素子数ｈ／２））／２である。幅画素数ｗは、ディスプレイ１０８の表示領域の第一方向（左右方向）における画素数である。幅画素数ｗは、例えば３２０である。従って、設定値ｘ０は、例えば１６である。設定値ｘ１は、ｘ０＋（素子数ｈ／２）である。従って、設定値ｘ０は、例えば３０４である。設定値ｙ０及び設定値ｙ１は、高さ画素数より小さい。高さ画素数は、ディスプレイ１０８の表示領域の第二方向（前後方向）における画素数である。また、設定値ｙ１は設定値ｙ０より大きい。例えば、設定値ｙ０は１６とし、設定値ｙ１は３２とする。
【００４３】
Ｓ２０１の実行後、ＣＰＵ１１は、ディスプレイ１０８に第一矩形を表示する。本実施形態では、ディスプレイ１０８の表示領域の一番左上の画素の座標を（０，０）とする。そして、座標の１単位がディスプレイ１０８の表示領域の１画素に対応するものとする。この場合、第一矩形の頂点の座標は、（ｘ０，ｙ０）、（ｘ１，ｙ０）、（ｘ０，ｙ１）、及び（ｘ１，ｙ１）である。本実施形態では、例えば、第一矩形は青色で表示される。
【００４４】
Ｓ２０５の実行後、ＣＰＵ１１は変数ｊを０にする（Ｓ２０５）。変数ｊは、後述する第二矩形の個数を示す。ＣＰＵ１１は、変数ｊが範囲指定数ｉ以下であるか否かを判断する（Ｓ２０７）。変数ｊが範囲指定数ｉ以下である場合（Ｓ２０７：ＹＥＳ）、ＣＰＵ１１は、第二矩形の頂点の座標を示すために用いる値ｘ２、ｘ３、ｙ２、ｙ３を設定する（Ｓ２０９）。設定値ｘ２は、ｘ２＝ｘ０＋（始点［ｉ］／２）により得られる。設定値ｘ３は、ｘ３＝ｘ０＋（終点［ｉ］／２）により得られる。設定値ｙ２及び設定値ｙ３は、高さ画素数より小さい。また、設定値ｙ３は設定値ｙ２より大きい。例えば、設定値ｙ２は、設定値ｙ０と同じ１６とする。例えば、設定値ｙ３は、設定値ｙ１と同じ３２とする。
【００４５】
Ｓ２０９の実行後、ＣＰＵ１１は、ディスプレイ１０８に第二矩形を表示して、ヘッド画像２００を更新する（Ｓ２１１）。第二矩形の頂点の座標は、（ｘ２，ｙ２）、（ｘ３，ｙ２）、（ｘ２，ｙ３）、及び（ｘ３，ｙ３）である。第二矩形は、Ｓ２０３で表示された第一矩形に上書きされて、表示される。第二矩形は、第一矩形とは異なる態様で表示される。本実施形態では、第二矩形は第一矩形とは異なる色（例えば、黄色）で表示される。第二矩形は、ヘッド画像２００のうち、指定されたチェック範囲内の発熱素子を示す。従って、図７及び図８の第一画像２０１は第二矩形である。一方、第二矩形を除いた第一矩形の部分は、ヘッド画像２００のうち、チェック範囲外の発熱素子を示す。従って、図７及び図８の第二画像２０２は、第二矩形を除いた第一矩形の部分である。
【００４６】
Ｓ２１１の実行後、ＣＰＵ１１は、変数ｊに１加算し（Ｓ２１３）、処理はＳ２０７に戻る。変数ｊが範囲指定数ｉ以下でない場合（Ｓ２０７：ＮＯ）、ＣＰＵ１１は、ヘッド表示処理を終了し、範囲指定処理（図１２から図１４参照）に戻る。なお、一巡目のＳ６３でのヘッド表示処理の後、図６に示すように、ヘッド画像２００は全て、チェック素子を示す第一画像２０１である。ディスプレイ１０８には、ヘッド画像２００とともに、Ｓ３３で表示された印刷画像２１０、及びＳ６１で表示されたメッセージ２２１も表示されている。範囲指定処理の二巡目以降の処理におけるヘッド表示処理では、ＣＰＵ１１は、（範囲指定数ｉ＋１）個の第二矩形をディスプレイ１０８に表示する。この場合、表示される第二矩形は、前回の範囲指定処理で指定されたチェック範囲内の発熱素子を示す第二矩形を含む。
【００４７】
ＣＰＵ１１は、Ｓ６３でヘッド表示処理を実行した後、左キー３２が押されたか否かを判断する（Ｓ６５）。左キー３２が押された場合（Ｓ６５：ＹＥＳ）、ＣＰＵ１１は、始点［ｉ］が変数ｍより大きいか否かを判断する（Ｓ６７）。始点［ｉ］が変数ｍより大きい場合（Ｓ６７：ＹＥＳ）、ＣＰＵ１１は、始点［ｉ］から１減算する（Ｓ６９）。その後、ＣＰＵ１１はヘッド表示処理（図１５参照）を実行する（Ｓ７７）。本実施形態では、複数のチェック範囲が指定される場合、ＣＰＵ１１は、指定済みのチェック範囲より右側に、チェック範囲の指定を受け付ける。従って、始点［ｉ］が変数ｍより大きくない場合（Ｓ６７：ＮＯ）、ＣＰＵ１１は、始点［ｉ］から１減算せず、ヘッド表示処理を実行する（Ｓ７７）。
【００４８】
左キー３２が押されていない場合（Ｓ６５：ＮＯ）、ＣＰＵ１１は、右キー３３が押されたか否かを判断する（Ｓ７１）。右キー３３が押された場合（Ｓ７１：ＹＥＳ）、ＣＰＵ１１は、始点［ｉ］が、素子数ｈから１減算した値（ｈ−１）より小さいか否かを判断する（Ｓ７３）。始点［ｉ］が（ｈ−１）より小さい場合（Ｓ７３：ＹＥＳ）、ＣＰＵ１１は、始点［ｉ］に１加算する（Ｓ７５）。その後、ＣＰＵ１１はヘッド表示処理（図１５参照）を実行する（Ｓ７７）。Ｓ７７でのヘッド表示処理の後、例えば、図７に示すように、ヘッド画像２００の左側の一部が第二画像２０２となる。第一画像２０１の左端は、チェック範囲の始点を示す。
【００４９】
本実施形態では、ＣＰＵ１１は、チェック範囲の始点より右側に、終点の指定を受け付ける。従って、始点［ｉ］が（ｈ−１）より小さくない場合（Ｓ７３：ＮＯ）、始点［ｉ］から右側に終点を指定することができない。この場合、ＣＰＵ１１は、始点［ｉ］に１加算せず、ヘッド表示処理を実行する（Ｓ７７）。
【００５０】
右キー３３が押されていない場合（Ｓ７１：ＮＯ）、ＣＰＵ１１は、ＯＫキー３４が押されたか否かを判断する（Ｓ７９）。ＯＫキー３４が押された場合（Ｓ７９：ＹＥＳ）、ＣＰＵ１１は、始点［ｉ］に１加算した値を、終点［ｉ］に設定する（Ｓ８１）。ＯＫキー３４が押されていない場合（Ｓ７９：ＮＯ）、処理はＳ６５に戻る。
【００５１】
Ｓ８１の実行後、ＣＰＵ１１は、ディスプレイ１０８にメッセージ２２２（図７参照）を表示する（Ｓ８３）。上述の通り、メッセージ２２２は、チェック範囲の終点の指定をユーザに促すメッセージである。図７に示すように、ディスプレイ１０８には、メッセージ２２１とともに、Ｓ６３又はＳ７７で表示されたヘッド画像２００、及びＳ３３で表示された印刷画像２１０も表示されている。Ｓ８３の実行後、ＣＰＵ１１は、左キー３２が押されたか否かを判断する（Ｓ８５）。
【００５２】
左キー３２が押された場合（Ｓ８５：ＹＥＳ）、ＣＰＵ１１は、終点［ｉ］が始点［ｉ］より大きいか否かを判断する（Ｓ８７）。終点［ｉ］が始点［ｉ］より大きい場合（Ｓ８７：ＹＥＳ）、ＣＰＵ１１は、終点［ｉ］から１減算する（Ｓ８９）。その後、ＣＰＵ１１はヘッド表示処理（図１５参照）を実行する（Ｓ９７）。終点［ｉ］が始点［ｉ］より大きくない場合（Ｓ８７：ＮＯ）、ＣＰＵ１１は、終点［ｉ］から１減算せず、ヘッド表示処理を実行する（Ｓ９７）。
【００５３】
左キー３２が押されていない場合（Ｓ８５：ＮＯ）、ＣＰＵ１１は、右キー３３が押されたか否かを判断する（Ｓ９１）。右キー３３が押された場合（Ｓ９１：ＹＥＳ）、ＣＰＵ１１は、終点［ｉ］が素子数ｈより小さいか否かを判断する（Ｓ９３）。終点［ｉ］が素子数ｈより小さい場合（Ｓ９３：ＹＥＳ）、ＣＰＵ１１は、終点［ｉ］に１加算する（Ｓ９５）。その後、ＣＰＵ１１はヘッド表示処理（図１５参照）を実行する（Ｓ９７）。Ｓ９７でのヘッド表示処理の後、例えば、図８に示すように、ヘッド画像２００の右側の一部が第二画像２０２となる。第一画像２０１の右端は、チェック範囲の終点を示す。
【００５４】
終点［ｉ］が素子数ｈより小さくない場合（Ｓ９３：ＮＯ）、終点［ｉ］は、右端の発熱素子を示す。従って、ＣＰＵ１１は、終点［ｉ］に１加算せず、ヘッド表示処理を実行する（Ｓ９７）。
【００５５】
右キー３３が押されていない場合（Ｓ９１：ＮＯ）、ＣＰＵ１１は、ＯＫキー３４が押されたか否かを判断する（Ｓ９９）。ＯＫキー３４が押されていない場合（Ｓ９９：ＮＯ）、ＣＰＵ１１は、ＢＡＣＫキー３１が押されたか否かを判断する（Ｓ１０３）。ＢＡＣＫキー３１が押された場合（Ｓ１０３：ＹＥＳ）、ＣＰＵ１１は、終点［ｉ］に素子数ｈを設定し（Ｓ１０５）、処理はＳ６１に戻る。従って、ユーザは、チェック範囲の始点の指定からやり直しができる。ＢＡＣＫキー３１が押されていない場合（Ｓ１０３：ＮＯ）、処理はＳ８５に戻る。
【００５６】
ＯＫキー３４が押された場合（Ｓ９９：ＹＥＳ）、ＣＰＵ１１は、終点［ｉ］が素子数ｈより小さいか否かを判断する（Ｓ１０７）。終点［ｉ］が素子数ｈより小さくない場合（Ｓ１０７：ＮＯ）、終点［ｉ］は、右端の発熱素子を示す。つまり、指定済みのチェック範囲より右側に、チェック範囲を指定することはできない。従って、次のチェック範囲を指定する必要はない。この場合、ＣＰＵ１１は、範囲指定数ｉに１加算して（Ｓ１２１）、範囲指定処理を終了する。その後、ＣＰＵ１１は、ヘッドチェック処理（図１１参照）に戻る。
【００５７】
一方、終点［ｉ］が素子数ｈより小さい場合（Ｓ１０７：ＹＥＳ）、ＣＰＵ１１は、ディスプレイ１０８にメッセージ２２３（図８参照）を表示する（Ｓ１０９）。上述の通り、メッセージ２２３は、チェック開始の指示をユーザに促すメッセージである。Ｓ１０９の実行後、ＣＰＵ１１は、左キー３２又は右キー３３が押されたか否かを判断する（Ｓ１１１）。
【００５８】
左キー３２又は右キー３３が押された場合（Ｓ１１１：ＹＥＳ）、ＣＰＵ１１は、範囲指定数ｉが、指定可能数ｎから１減算した値（ｎ−１）以上であるか否かを判断する（Ｓ１１３）。指定可能数ｎは、指定可能なチェック範囲の数（例えば、５）である。範囲指定数ｉが（ｎ−１）以上である場合（Ｓ１１３：ＹＥＳ）、ＣＰＵ１１は、範囲指定数ｉに１加算する（Ｓ１２１）。その後、ＣＰＵ１１は範囲指定処理を終了し、ヘッドチェック処理（図１１参照）に戻る。範囲指定数ｉが（ｎ−１）以上でない場合（Ｓ１１３：ＮＯ）、ＣＰＵ１１は、範囲指定数ｉに１加算し（Ｓ１１５）、処理はＳ５３に戻る。
【００５９】
左キー３２又は右キー３３が押されていない場合（Ｓ１１１：ＮＯ）、ＣＰＵ１１は、ＯＫキー３４が押されたか否かを判断する（Ｓ１１７）。ＯＫキー３４が押されていない場合（Ｓ１１７：ＮＯ）、ＣＰＵ１１は、ＢＡＣＫキー３１が押されたか否かを判断する（Ｓ１１９）。ＢＡＣＫキー３１が押されていない場合（Ｓ１１９：ＮＯ）、処理はＳ１１１に戻る。一方、ＢＡＣＫキー３１が押された場合（Ｓ１１９：ＹＥＳ）、処理はＳ８３に戻る。従って、ユーザは、チェック範囲の終点の指定からやり直しができる。
【００６０】
ＯＫキー３４が押された場合（Ｓ１１７：ＹＥＳ）、ＣＰＵ１１は、範囲指定数ｉに１加算する（Ｓ１２１）。その後、ＣＰＵ１１は、範囲指定処理を終了し、ヘッドチェック処理（図１１参照）に戻る。ＣＰＵ１１は、ヘッドチェック処理に戻ると、エラーチェック処理を実行する（Ｓ３７）。
【００６１】
図１６を参照し、エラーチェック処理を説明する。まず、ＣＰＵ１１は変数ｋを０にする（Ｓ３０１）。ＣＰＵ１１は、サーマルラインヘッド１１２の全ての発熱素子について、フラグを０にする（Ｓ３０３）。フラグ「０」は、発熱素子が正常であることを示す。フラグ「１」は、発熱素子が異常であることを示す。
【００６２】
Ｓ３０３の実行後、ＣＰＵ１１は、変数ｋが範囲指定数ｉより小さいか否かを判断する（Ｓ３０５）。変数ｋが範囲指定数ｉより小さい場合（Ｓ３０５：ＹＥＳ）、範囲指定数ｉ分のチェック範囲について、発熱素子の状態のチェックが終了していない。この場合、ＣＰＵ１１は、変数ｐに始点［ｋ］を設定する（Ｓ３０７）。
【００６３】
変数ｐは、主走査方向における発熱素子の順番を示す。本実施形態では、主走査方向において先頭（左端）の発熱素子の順番を０とする。発熱素子の順番は、先頭から末尾（左から右）に向かって昇順で定められる。例えば、上述の通り、サーマルラインヘッド１１２が５７６個の発熱素子を備える場合、末尾（右端）の発熱素子の順番は５７５となる。始点［ｋ］は、現在処理対象としているチェック範囲の始点を示す。ｋが０の場合、始点［ｋ］は、１つ目のチェック範囲の始点となる発熱素子の順番を示す。
【００６４】
ＣＰＵ１１は、変数ｐが終点［ｋ］以下であるか否かを判断する（Ｓ３０９）。終点［ｋ］は、現在処理対象としているチェック範囲の終点を示す。ｋが０の場合、終点［ｋ］は、１つ目のチェック範囲の終点となる発熱素子の順番を示す。変数ｐが終点［ｋ］以下である場合（Ｓ３０９：ＹＥＳ）、現在のチェック範囲の全ての発熱素子について、チェックが終了していない。この場合、ＣＰＵ１１は、主走査方向においてｐ番目の発熱素子の状態をチェックする（Ｓ３１１）。本実施形態では、ＣＰＵ１１は、左からｐ番目の発熱素子に断線が生じているか否かをチェックする。ＣＰＵ１１は、駆動回路１６を制御してｐ番目の発熱素子に通電し、公知の電圧測定回路と公知の電流測定回路とを用いて、電圧値と電流値とを測定する。ＣＰＵ１１は、測定された電圧値と電流値に基づいて、抵抗値を求める。ＣＰＵ１１は、求められた抵抗値に基づいて、発熱素子に断線が生じているか否かをチェックする。
【００６５】
ＣＰＵ１１は、Ｓ３１１でのチェックの結果に基づき、発熱素子が異常であるか否かを判断する（Ｓ３１３）。発熱素子が異常である場合（Ｓ３１３：ＹＥＳ）、ＣＰＵ１１は、フラグ［ｐ］に１を設定する（Ｓ３１５）。フラグ［ｐ］は、主走査方向においてｐ番目の発熱素子のフラグである。発熱素子が異常でない場合（Ｓ３１３：ＮＯ）、又はＳ３１５の実行後、ＣＰＵ１１は変数ｐに１加算する（Ｓ３１７）。Ｓ３１７の実行後、処理はＳ３０９に戻り、現在のチェック範囲内の発熱素子について、上述の処理が繰り返される（Ｓ３０９〜Ｓ３１７）。
【００６６】
変数ｐが終点［ｋ］以下でない場合（Ｓ３０９：ＹＥＳ）、現在のチェック範囲内の全ての発熱素子について、チェックが終了している。従って、ＣＰＵ１１は、変数ｋに１加算し（Ｓ３１９）、処理はＳ３０５に戻る。ＣＰＵ１１は、次のチェック範囲内の発熱素子の状態をチェックする。範囲指定数ｉ分の全てのチェック範囲について、発熱素子の状態のチェックが終了している場合、変数ｋが範囲指定数ｉより小さくない（Ｓ３０５：ＮＯ）。この場合、ＣＰＵ１１は、エラーチェック処理を終了し、ヘッドチェック処理（図１１参照）に戻る。ＣＰＵ１１は、ヘッドチェック処理に戻ると、結果表示処理を実行する（Ｓ３９）。
【００６７】
図１７を参照し、結果表示処理を説明する。まず、ＣＰＵ１１は、ヘッド表示処理（図１５参照）を実行する（Ｓ４０１）。範囲指定処理（図１２から図１４参照）で指定されたチェック範囲に基づき、第一画像２０１及び第二画像２０２を含むヘッド画像２００が、ディスプレイ１０８に表示される。Ｓ４０１の実行後、ＣＰＵ１１は、変数ｐを０にし、ＮＧフラグ数ｆを０にする（Ｓ４０３）。ＮＧフラグ数ｆは、フラグが１である発熱素子の個数である。Ｓ４０３の実行後、ＣＰＵ１１は、変数ｐが素子数ｈより小さいか否かを判断する（Ｓ４０５）。
【００６８】
変数ｐが素子数ｈより小さい場合（Ｓ４０５：ＹＥＳ）、ＣＰＵ１１は、フラグ［ｐ］が１であるか否かを判断する（Ｓ４０７）。フラグ［ｐ］が１である場合（Ｓ４０７：ＹＥＳ）、主走査方向においてｐ番目の発熱素子が異常である。この場合、ＣＰＵ１１はＮＧ表示処理を実行する（Ｓ４０９）。
【００６９】
図１８を参照し、ＮＧ表示処理を説明する。まず、ＣＰＵ１１は、第三矩形に含まれる座標を指定するために用いる値ｘ２０、ｘ２１、ｙ２０、及びｙ２１を設定する（Ｓ５０１）。本実施形態では、設定値ｘ２０は、（幅画素数ｗ―（素子数ｈ／２））／２である。設定値ｘ２１は、ｘ２１＝ｘ２０＋（ｐ／２）により得られる。設定値ｙ２０及び設定値ｙ２１は、高さ画素数より小さい。また、設定値ｙ２１は設定値ｙ２０より大きい。例えば、設定値ｙ２０は、設定値ｙ０と同じ１６とする。例えば、設定値ｙ２１は、設定値ｙ１と同じ３２とする。
【００７０】
Ｓ５０１の実行後、ＣＰＵ１１は、ディスプレイ１０８に第三矩形を表示する（Ｓ５０３）。第三矩形は、ｘ座標がｘ２１で、ｙ座標がｙ２０からｙ２１までの範囲の画素を含む。第三矩形は、Ｓ４０１で表示されたヘッド画像２００に上書きされて、表示される。本実施形態では、第三矩形は、第二矩形とは異なる態様で表示される。また、第三矩形は、第一矩形とも異なる態様で表示される。本実施形態では、第三矩形は第二矩形とは異なる色で表示される。また、第三矩形は、第一矩形とも異なる色で表示される。例えば、第三矩形は赤色で表示される。
【００７１】
Ｓ５０３の実行後、ＣＰＵ１１は、ＮＧ表示処理を終了し、結果表示処理（図１７参照）に戻る。ＣＰＵ１１は、結果表示処理に戻ると、ＮＧフラグ数ｆに１加算する（Ｓ４１１）。
【００７２】
フラグ［ｐ］が１でない場合（Ｓ４０７：ＮＯ）、又はＳ４１１の実行後、ＣＰＵ１１は変数ｐに１加算し（Ｓ４１３）、処理はＳ４０５に戻る。変数ｐが素子数ｈより小さくない場合（Ｓ４０５：ＮＯ）、全ての発熱素子について処理が終了している。この場合、ＣＰＵ１１は、ＮＧフラグ数ｆが０より大きいか否かを判断する（Ｓ４１５）。
【００７３】
ＮＧフラグ数ｆが０より大きい場合（Ｓ４１５：ＹＥＳ）、異常である発熱素子が存在する。この場合、ＣＰＵ１１は、ディスプレイ１０８にメッセージ２２４を表示する（Ｓ４１７）。上述の通り、本実施形態では、メッセージ２２４は、異常であると判断された発熱素子が存在することをユーザに報知する異常メッセージである。例えば、図９に示すように、メッセージ２２４として「断線が検出されました」というメッセージが表示される。ディスプレイ１０８には、メッセージ２２４とともに、Ｓ４０１及びＳ４０９で表示されたヘッド画像２００、及びＳ３３で表示された印刷画像２１０も表示されている。
【００７４】
ＮＧフラグ数ｆが０より大きくない場合（Ｓ４１５：ＹＥＳ）、異常である発熱素子は存在しない。この場合、ＣＰＵ１１は、ディスプレイ１０８に、全ての発熱素子が正常であることをユーザに報知する正常メッセージを表示する（Ｓ４１９）。例えば、「正常です」という正常メッセージが表示される。
【００７５】
Ｓ４１７又はＳ４１９の実行後、ＣＰＵ１１は、結果表示処理を終了し、ヘッドチェック処理（図１１参照）に戻る。その後、ＣＰＵ１１は、ヘッドチェック処理を終了し、メイン処理（図１０参照）に戻り、処理はＳ１５に戻る。
【００７６】
印刷処理を示す画像も、ヘッドチェック処理を示す画像も選択されていない場合（Ｓ１５：ＮＯ、Ｓ１９：ＮＯ）、ＣＰＵ１１は、メイン処理の終了を示す画像が選択されたか否かを判断する（Ｓ２３）。メイン処理の終了を示す画像が選択されていない場合（Ｓ２３：ＮＯ）、処理はＳ１５に戻る。メイン処理の終了を示す画像が選択された場合（Ｓ２３：ＹＥＳ）、ＣＰＵ１１はメイン処理を終了する。
【００７７】
例えば、印刷後の感熱テープ８において、印刷情報の一部が印刷されていなかった場合、ユーザは、印刷装置１にヘッドチェック処理を指示する。ヘッドチェック処理で、異常な発熱素子は存在しないと判断されたとする。この場合、ユーザは、ディスプレイ１０８に表示されたヘッド画像２００又は正常メッセージを見ることにより、異常な発熱素子は存在しないことを確認できる。また、この場合、サーマルラインヘッド１１２に埃などのゴミが付着している可能性がある。従って、ユーザは、サーマルラインヘッド１１２を掃除することにより、印刷の不具合を解消できる可能性がある。一方、ヘッドチェック処理で、異常な発熱素子が存在すると判断された場合には、ユーザは、印刷装置１を修理に出し、サーマルラインヘッド１１２を交換すればよい。
【００７８】
以上説明したように、本実施形態の印刷装置１によれば、ヘッドチェックが指示されると、ディスプレイ１０８にヘッド画像２００が表示される。印刷装置１は、操作部３０を介して、複数の発熱素子のうち、チェック対象とする発熱素子を含むチェック範囲の指定を受け付ける。印刷装置１は、チェック範囲の指定を受け付けると、チェック範囲に含まれる発熱素子の状態をチェックする。その後、印刷装置１は、チェック結果をディスプレイ１０８に表示する。従って、ユーザは、チェック範囲の指定を印刷装置１に入力することができる。印刷装置１は、ユーザが所望する範囲に含まれる発熱素子の状態をチェックすることができる。また、ユーザは、ディスプレイ１０８に表示されたチェック結果を見ることにより、チェックされた発熱素子の状態を把握することができる。
【００７９】
ヘッドチェック後、ディスプレイ１０８に表示されたヘッド画像２００は更新される。従って、ユーザは、ディスプレイ１０８に表示されたヘッド画像２００を見ることにより、発熱素子の状態のチェック結果を確認することができる。より詳細には、ヘッド画像２００が更新されると、異常であると判断された発熱素子を示す第三画像２０３が、正常であると判断された発熱素子を示す画像とは異なる態様で表示される。ユーザは、ヘッド画像２００を見ることにより、複数の発熱素子のうち、異常であると判断された発熱素子を容易に把握することができる。
【００８０】
更に、ディスプレイ１０８には、印刷情報の少なくとも一部を示す印刷画像２１０が表示される。印刷画像２１０は、ディスプレイ１０８において、ヘッド画像２００に対して第二方向にある領域に表示される。第二方向は、ヘッド画像２００が示す複数の発熱素子が配列され第一方向と直交する方向である。更に、印刷画像２１０は、ヘッド画像２００と略同じ縮尺で表示される。また、印刷画像２１０は、印刷画像２１０が示す印刷情報の少なくとも一部を構成する複数のドットの各々を示す画像と、複数のドットの各々を印刷する発熱素子を示す画像とが第二方向に並ぶように、表示される。
【００８１】
従って、ユーザは、ディスプレイ１０８に表示されたヘッド画像２００と印刷画像２１０とを確認することにより、印刷情報のどの部分が複数の発熱素子のうちどの発熱素子に対応するかを容易に把握することができる。また、異常な発熱素子に対応する部分にある印刷情報は、重要な情報（例えば、バーコード）ではない場合がある。この場合、ユーザは、サーマルラインヘッド１１２を交換せずに使い続けてもよい。
【００８２】
ヘッド画像２００のうち、第二矩形（図７及び図８の第一画像２０１を参照）と、第二矩形を除いた第一矩形の部分（図７及び図８の第二画像２０２を参照）とは、異なる態様でディスプレイ１０８に表示される。第二矩形は、チェック範囲内の発熱素子を示す。第二矩形を除いた第一矩形の部分は、チェック範囲外の発熱素子を示す。従って、ユーザは、ディスプレイ１０８に表示されたヘッド画像２００を確認することにより、チェック範囲を容易に把握することができる。
【００８３】
上記実施形態において、サーマルラインヘッド１１２が、本発明の「印刷手段」に相当する。主走査方向が、本発明の「所定方向」に相当する。ディスプレイ１０８が、本発明の「表示手段」に相当する。ヘッド画像２００が、本発明の「第一画像」に相当する。図１５に示すヘッド表示処理を実行するＣＰＵ１１が、本発明の「第一表示制御手段」に相当する。図１２から図１４に示す範囲指定処理を実行するＣＰＵ１１が、本発明の「受付手段」に相当する。図１６に示すエラーチェック処理を実行するＣＰＵ１１が、本発明の「チェック手段」に相当する。図１７に示す結果表示処理を実行するＣＰＵ１１が、本発明の「第二表示制御手段」に相当する。印刷画像２１０が、本発明の「第二画像」に相当する。ヘッドチェック処理のＳ３３の処理を実行するＣＰＵ１１が、本発明の「第三表示制御手段」に相当する。プラテンローラ１１１が、本発明の「搬送手段」に相当する。排出口１０７が、本発明の「排出部」に相当する。
【００８４】
本発明は上記実施形態に限定されるものではなく、種々の変更が可能である。例えば、印刷情報が印刷されたか否かに関わらず、ＳＲＡＭ１２に印刷データが記憶されている場合には、印刷画像２１０がディスプレイ１０８に表示されてもよい。例えば、ユーザは、ディスプレイ１０８に表示された印刷画像２１０を、印刷前に確認してもよい。ユーザは、印刷画像２１０が示す少なくとも一部の印刷情報のうち、重要な情報の部分に対応する発熱素子を含む範囲のみ、チェック範囲として指定してもよい。
【００８５】
印刷装置１は、外部端末２からＵＳＢケーブル３を介して受信する以外の方法で、印刷データを取得してもよい。例えば、印刷装置１は、無線通信によって印刷データを外部端末２から受信してもよい。印刷装置１は、媒体読取装置を備えてもよい。この場合、印刷装置１は、記憶媒体（例えば、メモリカード）に記憶されている印刷データを、媒体読取装置を介して取得してもよい。また、例えば、印刷画像２１０は表示されなくてもよい。
【００８６】
ディスプレイ１０８は、サーマルラインヘッド１１２が備える複数の発熱素子の主走査方向の長さ以上の表示領域を有してもよい。そして、ヘッド画像２００は、ヘッド画像２００が示す複数の発熱素子の第一方向の長さが、複数の発熱素子の主走査方向の長さの実寸と略一致する態様で表示されてもよい。この場合、ディスプレイ１０８に印刷画像２１０が表示されなくても、ユーザは、印刷が行われた感熱テープ８と、ディスプレイ１０８に表示されたヘッド画像２００とを照らし合わせることができる。これにより、ユーザは、感熱テープ８のどの部分が複数の発熱素子のうちどの発熱素子に対応するかを容易に把握することができる。
【００８７】
更に、感熱テープ８が排出口１０７から排出された場合に、感熱テープ８に印刷された印刷情報を構成する複数のドットの各々と、複数のドットの各々を印刷した発熱素子を示す画像とが第二方向に並ぶように、ヘッド画像２００がディスプレイ１０８に表示されてもよい。上記実施形態では、排出口１０７は第一方向に延び、ディスプレイ１０８に近接している。従って、この場合、ユーザは、感熱テープ８に印刷された印刷情報と、ディスプレイ１０８に表示されたヘッド画像２００とを更に容易に照らし合わせることができる。これにより、感熱テープ８のどの部分が複数の発熱素子のうちどの発熱素子に対応するかを更に容易に把握することができる。
【００８８】
なお、排出口１０７は、第一方向以外の方向に延びていてもよい。排出口１０７は、ディスプレイ１０８に近接していなくてもよい。
【００８９】
印刷画像２１０が示す印刷情報の少なくとも一部を構成する複数のドットの各々を示す画像と、複数のドットの各々を印刷する発熱素子を示す画像とは、第二方向以外の方向に並ぶように、印刷画像２１０は表示されてもよい。印刷画像２１０は、ディスプレイ１０８において、ヘッド画像２００に対して第二方向にある領域以外の領域に表示されてもよい。例えば、ヘッド画像２００と印刷画像２１０とが第一方向に並んで表示されてもよい。印刷画像２１０は、ヘッド画像２００と異なる縮尺で表示されてもよい。
【００９０】
上記実施形態では、範囲指定処理（図１２から図１４参照）において、ＣＰＵ１１は、複数のチェック範囲の指定を受け付けることができる。しかしながら、ＣＰＵ１１は、１つのチェック範囲のみの指定を受け付け可能であってもよい。また、範囲指定処理において、複数のチェック範囲が指定される場合、ＣＰＵ１１は、指定済みのチェック範囲より左側のチェック範囲の指定を受け付け可能であってもよい。また、ＣＰＵ１１は、重複する複数のチェック範囲の指定を受付可能であってもよい。
【００９１】
上記実施形態では、ヘッドチェック後、図９に示すように、ヘッド画像２００において、第一画像２０１、第二画像２０２、及び第三画像２０３の夫々は、異なる表示態様で表示される。第一画像２０１は、チェック範囲に含まれる発熱素子のうち、異常でないと判断された発熱素子を示す。第二画像２０２は、非チェック素子を示す。第三画像２０３は、チェック範囲に含まれる発熱素子のうち、異常であると判断された発熱素子を示す。しかしながら、第一画像２０１と第二画像２０２とは、同じ表示態様で表示されてもよい。第三画像２０３のみが、他の発熱素子を示す画像とは異なる表示態様で表示されてもよい。ヘッドチェック後、ヘッド画像２００及びメッセージ（異常メッセージ又は正常メッセージ）の一方は表示されなくてもよい。ユーザは、ヘッド画像２００及びメッセージの一方を見ることにより、チェックされた発熱素子の状態を把握することができる。
【００９２】
上記実施形態では、印刷装置１は、サーマルラインヘッド１１２が備える全ての発熱素子について、結果表示処理（図１７参照）を実行する。しかしながら、エラーチェック処理（図１６参照）でチェックされた発熱素子についてのみ、Ｓ４０３〜Ｓ４１３の処理を実行してもよい。この場合、印刷装置１は処理時間を短縮することができる。
【００９３】
印刷装置１は、ディスプレイ１０８上にタッチパネルを備えてもよい。操作部３０は、ディスプレイ１０８に表示されてもよい。この場合、ユーザは、ディスプレイ１０８に表示された操作部３０の位置に対応したタッチパネルの箇所を、指又はタッチペンで触れればよい。これにより、ユーザは、印刷装置１に指示を入力してもよい。
【００９４】
メイン処理は、ＣＰＵ１１以外の電子部品（例えば、ＡＳＩＣ）によって実行されてもよい。メイン処理は、複数の電子機器（つまり、複数のＣＰＵ）によって分散処理されてもよい。
【００９５】
上記実施形態では、感熱テープ８に印刷を行う印刷装置１に本発明を適用する場合を例示している。しかしながら、本発明は、少なくともサーマルラインヘッドとディスプレイとを備えた印刷装置であれば適用できる。例えば、画像やキャラクタ等を感熱紙に印刷する印刷装置に、本発明が適用されてもよい。
【符号の説明】
【００９６】
１    印刷装置
８    感熱テープ
１１    ＣＰＵ
１０７    排出口
１０８    ディスプレイ
１１１    プラテンローラ
１１２    サーマルラインヘッド
２００    ヘッド画像
２０１    第一画像
２０２    第二画像
２０３    第三画像
２１０    印刷画像
２２４    メッセージ
【図１】
0006308088.tif 000002
【図２】
0006308088.tif 000003
【図３】
0006308088.tif 000004
【図４】
0006308088.tif 000005
【図５】
0006308088.tif 000006
【図６】
0006308088.tif 000007
【図７】
0006308088.tif 000008
【図８】
0006308088.tif 000009
【図９】
0006308088.tif 000010
【図１０】
0006308088.tif 000011
【図１１】
0006308088.tif 000012
【図１２】
0006308088.tif 000013
【図１３】
0006308088.tif 000014
【図１４】
0006308088.tif 000015
【図１５】
0006308088.tif 000016
【図１６】
0006308088.tif 000017
【図１７】
0006308088.tif 000018
【図１８】
0006308088.tif 000019